(57)【要約】【課題】完成品として出荷できるとともに、施工現場においても、簡単に組み立てることの可能な温水暖房堀こたつを提供する。【解決手段】床面に凹設される外箱２と、床面上に開口するとともに、該外箱内に落とし込まれる内箱３と、該外箱２と内箱３との間に設けられた空間に配設される温水配管１と、からなる温水暖房堀こたつ。好ましくは、上記外箱２と内箱３とが、それぞれ、その周囲にフランジ２１、３１が延設されるとともに、該フランジを重ね合わせて固定される。【選択図】　図３
2004028422.tif 000002
【特許請求の範囲】
【請求項１】
床面に凹設される外箱と、床面上に開口するとともに、該外箱内に落とし込まれる内箱と、該外箱と内箱との間に設けられた空間に配設される温水配管と、からなる温水暖房堀こたつ。
【請求項２】
上記外箱と内箱とが、それぞれ、その周囲にフランジが延設されるとともに、該フランジを重ね合わせて固定された、請求項１記載の温水暖房堀こたつ。
【請求項３】
上記内箱が金属板から構成されるとともに、上記温水配管からの熱を放散する放熱板とされた、請求項１記載の温水暖房堀こたつ。
【請求項４】
上記外箱と内箱との間に設けられた空間にスペーサーが挿設された、請求項１記載の温水暖房堀こたつ。
【請求項５】
上記外箱と内箱との間に設けられた空間に発泡型断熱材を注入した、請求項１記載の温水暖房堀こたつ。
【発明の詳細な説明】
【０００１】
【発明の属する技術分野】
本発明は、床下に設けられる堀こたつに関する。さらに詳しくは、温水が循環する温水配管を内蔵する温水暖房堀こたつに関する。
【０００２】
【従来の技術】
近年、深夜の割安な電力を用いて水を温め、貯留しておき、その温水を風呂や、暖房用等に供給する、温水給湯器が普及しつつある。上記温水を熱源に使用する、暖房器具の一つとして、温水暖房堀こたつがあるが、これに関して、たとえば、実開昭６１−１６９３０１号、実開平３−６１２１３号、実開昭６４−５００２号公報等に記載の先行技術が知られている。公知の温水暖房堀こたつにおいては、図５に示すように、外側表面を断熱材で断熱処理し、内部に温水配管を内蔵した暖房パネル５１、５２、５３、５４を側面（４面）に、暖房パネル５５を底面（１面）に配置して床面に凹設し、これらの暖房パネルに温水を矢印の示すように送り込み、５１→５２→５３→５４→５５の順に温水を循環させることによって、暖房が行なわれてきた。
【０００３】
【発明が解決しようとする課題】
しかしながら、図５からよくわかるように、上記構成では、暖房パネル間の接続構造等が複雑で、施工現場における作業性もよくないという問題がある。そこで、本発明は、上記問題を解決して、工場で完成品として出荷できるとともに、施工現場においても、簡単に組み立てることのできる温水暖房堀こたつを提供することをその課題とする。
【０００４】
【課題を解決するための手段】
本発明は、上記課題を解決するために考え出されたものであって、つぎのような技術的手段を講じている。すなわち、本発明によれば、床面に凹設される外箱と、床面上に開口するとともに、該外箱内に落とし込まれる内箱と、該外箱と内箱との間に設けられた空間に配設される温水配管と、からなる温水暖房堀こたつが提供される。このように構成された温水暖房堀こたつは、簡単な構造で、容易に組み立てることができる。
【０００５】
上記外箱と内箱とが、それぞれ、その周囲にフランジが延設されるとともに、該フランジを重ね合わせて固定される。このようにすることにより、両方のフランジを重ね合わせ、ビス等の固定手段で固定すれば、内箱が外箱にしっかりと支持されて、容易に組み立てることができる。
【０００６】
上記内箱は、金属板、たとえば、鋼板、銅板、ステンレススチール等からなるものを用いることが好ましい。このようにすることにより、上記金属板が、温水配管でその全体が温められ、その熱を堀こたつ内に均一に放散するための、放熱板として作用する。
【０００７】
また、上記外箱と内箱との間に設けられた空間にスペーサーを挿設することが好ましい。このスペーサーが、内箱をしっかりと支持するとともに、温水配管に内箱の重量がかからぬように保護する。また、上記外箱と内箱との間に設けられた空間に発泡型断熱材を注入し、断熱施工することが好ましい。施工現場で、この発泡型断熱材を注入すれば、温水配管や、スペーサー等が存在しない空間には断熱材が充填され、簡単に断熱処理することができる。
【０００８】
【発明の実施の形態】
以下、本発明の好ましい実施の形態について、図面を参照してより詳細に説明する。図１は、本発明にかかる温水暖房堀こたつにおいて、周囲にフランジ２１を延設した外箱２を床面に凹設し、その底面に、温水配管１を配設した状態を示す平面図である。図２は、上記外箱２の底面に温水配管１を配設し、その上に、周囲にフランジ３１を延設した内箱３を落とし込んで、本発明にかかる温水暖房堀こたつとする状態を示す側断面図である。図２において、点線はやぐらＹを示す。図１、図２からよくわかるように、外箱２の底面と、内箱３の底面との間の空間には、スペーサー４が挿設され、該スペーサー４が内箱３を支持するとともに、温水配管１に内箱３の重量がかからぬように保護する。また、図２において、上記外箱２と内箱３との間の空間には、発泡ウレタン等、発泡型断熱材Ｄが注入され、断熱処理されている。
【０００９】
図１、図２において、温水入り口１１から温水配管１に導入された温水は、コイル状の温水配管１を循環して流れ、堀こたつを暖房した後、温水出口１２から排出され、図示しない温水貯留槽に戻される。一方、温水配管１からの熱を受けた金属板製の内箱３は、全体が温められて放熱し、熱を均一に放散するための放熱板として作用する。
【００１０】
上記、図１、図２は、外箱２の底面に、温水配管１を配設した形態を示すが、外箱２の４つの側面と、内箱３の４つの側面との間の空間に、さらに、温水配管１を延設してもよい。図３に、上記外箱２と内箱３の底面と底面、および側面と側面の間のそれぞれの空間に温水配管１を配設した実施形態を側断面図によって示す。また、図４は、本発明の温水暖房堀こたつの上に、やぐらＹを載置した状態を示す外観斜視図である。
【００１１】
【発明の効果】
以上述べたように、請求項１に記載の発明は、床面に凹設される外箱と、床面上に開口するとともに、該外箱内に落とし込まれる内箱と、該外箱と内箱との間に設けられた空間に配設される温水配管と、からなる温水暖房堀こたつである。このようにすることにより、簡単な構造で、容易に組み立てることができる、温水暖房堀こたつが提供される。
【００１２】
請求項２に記載の発明によれば、上記外箱と内箱とが、それぞれ、その周囲にフランジを有するとともに、該フランジを重ね合わせて固定される。このようにすることにより、請求項１に記載の発明の効果に加えて、両方のフランジを、ビス等の固定手段で固定すれば、内箱が外箱にしっかりと支持され、また組み立ても容易となる。
【００１３】
請求項３に記載の発明によれば、上記内箱が金属板から構成されるとともに、放熱板として作用する。このようにすることにより、請求項１に記載の発明の効果に加えて、上記内箱が、温水配管でその全体が温められ、その熱を堀こたつ内に略均一に放散するという作用、効果を発揮する。
【００１４】
請求項４に記載の発明によれば、上記外箱と内箱との間に設けられた空間にスペーサーが挿設される。このようにすることにより、請求項１に記載の発明の効果に加えて、上記スペーサーが、内箱をしっかりと支持するとともに、温水配管に内箱の重量がかからぬように保護するという効果を示す。
【００１５】
請求項５に記載の発明によれば、上記外箱と内箱との間の空間に発泡型断熱材を注入し、断熱施工される。このようにすることにより、請求項１に記載の発明の効果に加えて、施工現場で、この発泡型断熱材を注入すれば、温水配管や、スペーサー等が存在しない空間を、簡単に、断熱処理をすることができ、保温効果を高めることができる。
【図面の簡単な説明】
【図１】本発明にかかる温水暖房堀こたつにおいて、外箱の底面に、温水配管を配設した状態を示す平面図である。
【図２】本発明にかかる温水暖房堀こたつを示す側断面図である。
【図３】本発明にかかる温水暖房堀こたつの他の実施形態を示す側断面図である。
【図４】本発明にかかる温水暖房堀こたつの外観斜視図である。
【図５】従来の温水暖房堀こたつの暖房機構を示す説明図である。
【符号の説明】
１　　　　　温水配管
１１　　　　温水入口
１２　　　　温水出口
２　　　　　外箱
２１　　　　外箱の周囲に延設されたフランジ
３　　　　　内箱
３１　　　　内箱の周囲に延設されたフランジ
４　　　　　スペーサー
５１　　　　従来の温水暖房堀こたつの暖房パネル
５２　　　　従来の温水暖房堀こたつの暖房パネル
５３　　　　従来の温水暖房堀こたつの暖房パネル
５４　　　　従来の温水暖房堀こたつの暖房パネル
５５　　　　従来の温水暖房堀こたつの暖房パネル
Ｙ　　　　　やぐら
Ｄ　　　　　　　　　　発泡型断熱材
【図１】
2004028422.tif 000003
【図２】
2004028422.tif 000004
【図３】
2004028422.tif 000005
【図４】
2004028422.tif 000006
【図５】
2004028422.tif 000007